(57)【要約】      （修正有）【課題】着脱が容易であって、睡眠時の姿勢の変化によっても装着状態を維持することが可能な睡眠時無呼吸症候群防止装置を提供する。【解決手段】睡眠時無呼吸症候群防止装置１は、下顎骨に略対応する位置に当接する第１のベルト部２、上顎骨に略対応する位置に当接する第２のベルト部３、頭頂骨から側頭骨に略対応する位置に当接する第３のベルト部４、頭頂骨から蝶形骨に略対応する位置に当接する第４のベルト部５、側頭骨から後頭骨に略対応する位置に当接する第５のベルト部から主に構成されている。睡眠時無呼吸症候群防止装置１は、装着者Ｍの頭部の側面部において、第３のベルト部４と第４のベルト部５により固定されるため、睡眠時の姿勢の変化によっても装着状態を維持することが可能なものとなっている。【選択図】図３
0003220133.tif 000002
【実用新案登録請求の範囲】
【請求項１】
下顎骨に略対応する位置に当接する第１のベルト部と、
上顎骨に略対応する位置に当接し、前記第１のベルト部の両端に接続された第２のベルト部と、
頭頂骨から側頭骨に略対応する位置に当接し、前記第１のベルト部の両端に接続された第３のベルト部と、
頭頂骨から蝶形骨に略対応する位置に当接し、前記第１のベルト部の両端に接続された第４のベルト部と、
側頭骨から後頭骨に略対応する位置に当接し、前記第３のベルト部の所定の位置に接続された第５のベルト部と、
を備える
睡眠時無呼吸症候群防止装置。
【請求項２】
前記第４のベルト部は、頭頂部において前記第３のベルト部に接続されている
請求項１に記載の睡眠時無呼吸症候群防止装置。
【請求項３】
前記第２のベルト部、前記第３のベルト部、及び前記第５のベルト部は、長手方向の略中心部に着脱機構を有し、該着脱機構により２つの部分に分離可能である
請求項１または２に記載の睡眠時無呼吸症候群防止装置。
【考案の詳細な説明】
【技術分野】
【０００１】
本考案は、睡眠時無呼吸症候群防止装置に関する。詳しくは、着脱が容易であって、睡眠時の姿勢の変化によっても装着状態を維持することが可能な睡眠時無呼吸症候群防止装置に係るものである。
【背景技術】
【０００２】
近年、睡眠時に長時間の呼吸停止を複数回繰り返す睡眠時無呼吸症候群や、関連症状であるイビキが問題となっている。睡眠時無呼吸症候群とは、睡眠時に一時的に無呼吸となる一群の症候をいい、主に閉塞型睡眠時無呼吸症候群、中枢型睡眠時無呼吸症候群、及びこれらが混合した混合型睡眠時無呼吸症候群に分類されるが、そのほとんどが閉塞型睡眠時無呼吸症候群であるといわれている。そして、この閉塞型睡眠時無呼吸症候群の直接的な原因は、睡眠中の筋弛緩によって、舌根部や軟口蓋が気道内へとたれ下がり、気道を閉塞することに起因するものである。
【０００３】
この睡眠時無呼吸症候群においては、深い睡眠が妨げられるため、体調不良や、日中に眠気を感じることによる集中力の低下、更には居眠り運転を引き起こすなど、日常生活に支障をきたすおそれがあることが知られている。
【０００４】
睡眠時無呼吸症候群の治療方法としては、例えば口蓋垂軟口蓋咽頭形成術という外科的治療が知られている。具体的には、口蓋垂、口蓋扁桃、軟口蓋の一部を切除し、気道を広げるものである。この方法は、手術という患者の身体への負担が生じるものであるが、一方で症状治癒の成功率が低いといわれている。
【０００５】
そこでこのような外科的治療に代わって、睡眠時無呼吸症候群、或いはイビキを治療、又は予防するための様々な補助器具が提案されている。例えば、特許文献１には、口腔内に装着することで、上顎に対して下顎を強制的に前方に牽引させる力学的な負荷をかけることで、正常な呼吸を確保するためのマウスピースが提案されている。
【０００６】
しかしながら、マウスピースによる力学的負荷は、上顎骨と下顎骨に直接作用するのではなく、歯を介在して上顎と下顎の位置を規制するものであるため、長期的に使用を続けると歯に負荷がかかり、骨格とそこに植立している歯との位置関係が変化してしまうおそれがある。さらには、極端な小下顎症や顎関節に異常がある場合、或いは歯の数が少ない被検者に対しては適用することができないという問題があった。
【０００７】
また、マウスピースは口腔内に装着する異物であることから、睡眠中に唾液が多く分泌され、横向きに眠ることで唇の隙間から「よだれ」となって枕を濡らし、不衛生であるとともに、「よだれ」の冷たさから睡眠が覚醒されてしまうことも多かった。さらに、マウスピースは異物との認識から、睡眠中に無意識に口から吐き出されることも多く、再び装着する際には、口を大きく開けて装着する必要があり、その都度、覚醒につながるといった難点があり、必ずしも使い勝手のよいものとはいえなかった。
【０００８】
そこで、マウスピースに代わる補助器具として、例えば特許文献２には、睡眠中に頭部に装着するタイプの補助器具が提案されている。具体的には、図４に示すように、中間部１０２が頭部Ｈの中央を左右に横断するとともに、前頭部、及び後頭部を支持する補助バンド１０３により補助器具１０１は頭部Ｈに装着される。中間部１０２の左右両端には、先端部に加圧体１０４を有する保持部１０５が接続されている。加圧体１０４は略波型に形成されており、尖った部分が補助器具１０１の装着者の左耳、及び右耳の下方を押圧するように構成されている。
【０００９】
この特許文献２に係る補助器具１０１によれば、頭部Ｈに装着し、加圧体１０４によって両耳の下を押圧することにより、下顎骨の下顎枝後縁を前方に付勢することができるので、舌根部や軟口蓋による気道の閉塞を防止することができる。また、マウスピースのように口腔内に装着するものとは異なり、頭部Ｈに装着するので、簡単に違和感なく装着することができるものとなっている。
【先行技術文献】
【特許文献】
【００１０】
【特許文献１】特開２００６−  ２０９８６号公報
【特許文献２】特開２０１３−２１５４８５号公報
【考案の概要】
【考案が解決しようとする課題】
【００１１】
しかしながら、特許文献２に係る発明においては、先端が尖った波型状の加圧体により両耳の下方が常に押圧されるため、押圧部位に圧迫感を感じるものとなっている。特に、補助器具は睡眠中に装着するものであるが、このような圧迫感により睡眠が阻害されてしまうことが懸念される。
【００１２】
また、特許文献２に係る補助器具は、頭部の中央を左右に横断するヘッドバンドと、前頭部、及び後頭部を支持する補助バンドにより頭部に装着されているため、例えば睡眠時に寝返り等を繰り返すことにより、補助器具が頭部から簡単に外れてしまう虞もある。
【００１３】
本考案は、以上の点に鑑みて創案されたものであり、着脱が容易であって、睡眠時の姿勢の変化によっても装着状態を維持することが可能な睡眠時無呼吸症候群防止装置を提供することを目的とするものである。
【課題を解決するための手段】
【００１４】
前記の目的を達成するために、本考案の睡眠時無呼吸症候群防止装置は、下顎骨に略対応する位置に当接する第１のベルト部と、上顎骨に略対応する位置に当接し、前記第１のベルト部の両端に接続された第２のベルト部と、頭頂骨から側頭骨に略対応する位置に当接し、前記第１のベルト部の両端に接続された第３のベルト部と、頭頂骨から蝶形骨に略対応する位置に当接し、前記第１のベルト部の両端に接続された第３のベルト部と、側頭骨から後頭骨に略対応する位置に当接し、前記第３のベルト部の所定の位置に接続された第５のベルト部とを備える。
【００１５】
ここで、下顎骨に略対応する位置に当接する第１のベルト部を備えることにより、装着者の下顎に対して前方に押し出す力学的な負荷をかけることができる。従って、睡眠中において無意識のうちに下顎が下がることにより引き起こされる、無呼吸症候やイビキを防止することができる。
【００１６】
また、上顎骨に略対応する位置に当接し、第１のベルト部の両端に接続された第２のベルト部を備えることにより、装着者の上顎が下顎に対して突き出ることを防止することができる。従って、前記した第１のベルト部により下顎を強制的に前方に牽引し、第２のベルト部により上顎の前方への突き出しを抑制することができるため、正常な呼吸を確保するための理想的な上顎、及び下顎の形状を保持することができる。
【００１７】
また、頭頂骨から側頭骨に略対応する位置に当接し、第１のベルト部の両端に接続された第３のベルト部を備えることにより、装着者の下顎を強固に固定することができる。即ち、第３のベルト部の両端は第１のベルト部に接続されているため、第１のベルト部が第３のベルト部により上側（頭頂部側）に引っ張られるため、下顎が前方に突き出した状態を保持することができ、不用意に下顎が下がることを防止することができる。
【００１８】
さらに、第３のベルト部は、側頭骨に略対応する位置に当接するため、睡眠時無呼吸症候群防止装置を頭部、及び顔面に対して強固に固定することができるため、例えば睡眠時の寝返り動作等によっても不用意に睡眠時無呼吸症候群防止装置が頭部、又は顔面から外れることを防止することができる。
【００１９】
また、頭頂骨から蝶形骨に略対応する位置に当接し、第１のベルト部の両端に接続された第４のベルト部を備えることにより、第１のベルト部による装着者の下顎を強固に固定することができる。即ち、第３のベルト部と同様に第４のベルト部の両端は第１のベルト部に接続されているため、第１のベルト部が第４のベルト部により上側（頭頂部側）に引っ張られるため、下顎が前方に突き出した状態を保持することができ、不用意に下顎が下がることを防止することができる。
【００２０】
さらに、第４のベルト部は、蝶形骨に略対応する位置に当接するため、睡眠時無呼吸症候群防止装置を頭部、及び顔面に対して強固に固定することができるため、例えば睡眠時の寝返り動作等によっても不用意に睡眠時無呼吸症候群防止装置が頭部、又は顔面から外れることを防止することができる。
【００２１】
また、側頭骨から後頭骨に略対応する位置に当接し、第３のベルト部の所定の位置に接続された第５のベルト部を備えることにより、睡眠時無呼吸症候群防止装置を装着者の頭部において強固に固定することができる。そのため、睡眠時の寝返り動作等によっても不用意に睡眠時無呼吸症候群防止装置が頭部、又は顔面から外れることを防止することができる。
【００２２】
また、第４のベルト部は、頭頂部において第３のベルト部に接続されている場合には、第３のベルト部が顔面側から外れることなく、装着者の顔面、及び頭部に対して強固に固定することができる。
【００２３】
また、第２のベルト部、第３のベルト部、及び第５のベルト部は、長手方向の略中間部に着脱機構を有し、着脱機構により２つの部分に分離可能な場合には、睡眠時無呼吸症候群防止装置を装着者の顔面、及び頭部に装着する際には、着脱機構により、第２のベルト部、ないし第５のベルト部を左右２つの部分に分離可能であるため、頭部、又は顔面への装着を容易に行うことができる。
【考案の効果】
【００２４】
本考案に係る睡眠時無呼吸症候群防止装置は、着脱が容易であって、睡眠時の姿勢の変化によっても装着状態を維持することが可能なものとなっている。
【図面の簡単な説明】
【００２５】
【図１】本考案の実施形態に係る睡眠時無呼吸症候群防止装置の展開図である。
【図２】本考案の実施形態に係る睡眠時無呼吸症候群防止装置を装着者に装着した正面図である。
【図３】本考案の実施形態に係る睡眠時無呼吸症候群防止装置を装着者に装着した側面図である。
【図４】従来技術を示す図面である。
【考案を実施するための形態】
【００２６】
以下、本考案の実施形態に係る睡眠時無呼吸症候群防止装置について、図面を参照して詳細に説明する。
【００２７】
まず、本考案の実施形態に係る睡眠時無呼吸症候群防止装置１の構成について図１乃至図３に基づいて説明する。本考案に係る睡眠時無呼吸症候群防止装置１は、主に第１のベルト部２、第２のベルト部３、第３のベルト部４、第４のベルト部５、及び第５のベルト部６から構成されており、これら第１のベルト部２ないし第５のベルト部６は伸縮性のある例えば合成樹脂材から構成されている。
【００２８】
ここで、必ずしも、睡眠時無呼吸症候群防止装置１は合成繊維樹脂から構成されている必要はない。ある程度の伸縮性があればいかなる材料から構成されていてもよい。
【００２９】
第１のベルト部２は、睡眠時無呼吸症候群防止装置１を装着者Ｍに装着した状態において、装着者Ｍの下顎の両側縁から下縁に沿うように略Ｕ字状に屈曲して装着者Ｍの下顎骨に略対応する位置に当接し、下顎が強制的に前方に押し出す力学的な負荷がかかるものとなっている。
【００３０】
なお、第１のベルト部２が当接する下顎の形状は個人差があるが、第１のベルト部２は、装着者Ｍの下顎の広い範囲を保持するとともに、第１のベルト部２による力学的な負荷が下顎の一部分に集中しないように、例えば、装着者Ｍの下顎に装着する際に、第１のベルト部２に下顎保持ホルダー７を取り付けるようにすることが好ましい。
【００３１】
ここで、必ずしも、下顎保持ホルダー７を取り付ける必要はない。例えば、第１のベルト部２をやや幅広に形成し、第１のベルト部２により装着者Ｍの下顎全体を保持するようにしてもよい。
【００３２】
第２のベルト部３は、睡眠時無呼吸症候群防止装置１を装着者Ｍに装着した状態において、装着者Ｍの上顎骨に略対応する位置に当接するものであって、上顎の前方への突き出しを抑制するものである。
【００３３】
第２のベルト部３は、図１に示すように、左右に分離した左側第２のベルト部３ａ、右側第２のベルト部３ｂからなるものであり、左側第２のベルト部３ａ、及び右側第２のベルト部３ｂの一端は第１のベルト部２の端部２ａ、２ｂにそれぞれ接続されている。
【００３４】
また、左側第２のベルト部３ａの他端には雌部３１ａ、右側第２のベルト部３ｂの他端には雄部３１ｂをそれぞれ有する面ファスナーからなる着脱機構３１を有しており、この着脱機構３１により、第２のベルト部３は一本のベルト体となっている。
【００３５】
なお、雄部３１ｂは雌部３１ａよりも、その面積がやや広く形成されており、雌部３１ａに対する雄部３１ｂの取付位置を可変とすることができるようなっており、装着者Ｍの顔面のサイズに応じて適当な位置で装着することが可能となっている。
【００３６】
以上の構成により、第２のベルト部３は、第１のベルト部２との協調により、下顎を強制的に前方に牽引し、上顎の前方への突き出しを抑えることができるため、正常な呼吸を確保するための理想的な上顎、及び下顎の形状を保持することができる。
【００３７】
ここで、必ずしも、第２のベルト部３は着脱機構３１を有している必要はない。但し、着脱機構３１を有することにより、第２のベルト部３が２つの部分に分離可能な構成となり、第２のベルト部３の装着者Ｍへ装着する際の長さの調整が容易なものとなる。
【００３８】
また、必ずしも、着脱機構３１は、雄部３１ａと雌部３１ｂを有する面ファスナーから構成されている必要はなく、その構造は特に限定されるものではない。例えば、バックルやフック等、第２のベルト部３を装着者Ｍの頭部に装着する際にその長さ調整が可能な部材であればどのような機構であってもよい。
【００３９】
第３のベルト部４は、睡眠時無呼吸症候群防止装置１を装着者Ｍに装着した状態において、装着者Ｍの頭頂骨から側頭骨に略対応する位置に当接するものである。
【００４０】
第３のベルト部４は、図１に示すように、左右対称に分離した左側第３のベルト部４ａ、右側第３のベルト部４ｂからなるものであり、左側第３のベルト部４ａ、及び右側第３のベルト部４ｂの一端は第１のベルト部２の端部２ａ、２ｂにそれぞれ接続されている。
【００４１】
また、左側第３のベルト部４ａの他端には雌部４１ａ、右側第３のベルト部３ｂの他端には雄部４１ｂをそれぞれ有する面ファスナーからなる着脱機構４１を有しており、この着脱機構４１により、第３のベルト部４は一本のベルト体となっている。
【００４２】
以上の構成により、第３のベルト部４によって、第１のベルト部２による装着者Ｍの下顎を強固に固定することができる。即ち、第３のベルト部４によって第１のベルト部２が上側（頭頂部側）に引っ張られるため、下顎が前方に突き出した状態を保持することができる。
【００４３】
また、第３のベルト部４は、頭頂骨から側頭骨を経て第１のベルト部２の両端が位置する下顎骨に略対応する位置に当接するように装着者Ｍに装着されるため、睡眠時無呼吸症候群防止装置１を装着者Ｍの頭部、及び顔面に装着した状態での固定性が高まり、装着者Ｍが睡眠時に寝返り等を繰り返すことにより頭部の姿勢が変化したとしても、装着者Ｍの頭部から外れたりする虞もない。
【００４４】
ここで、必ずしも、第３のベルト部４は着脱機構４１を有している必要はない。但し、着脱機構４１を有することにより、第３のベルト部４が２つの部分に分離可能な構成となり、第３のベルト部４の装着者Ｍへ装着する際の長さの調整が容易なものとなる。
【００４５】
また、必ずしも、着脱機構４１は、第３のベルト部４の略中心に設けられている必要はない。但し、着脱機構４１が第３のベルト部４の略中心に設けられていることにより、第３のベルト部４が、左側第３のベルト部４ａと右側第３のベルト部４ｂが左右対称な形状となるため、装着者Ｍへの装着が容易なものとなる。
【００４６】
また、必ずしも、着脱機構４１は、雌部４１ａと雄部４１ｂを有する面ファスナーから構成されている必要はなく、その構造は特に限定されるものではない。例えば、バックルやフック等、第３のベルト部４を装着者Ｍの頭部に装着する際にその長さ調整が可能な部材であればどのような機構であってもよい。
【００４７】
第４のベルト部５は、睡眠時無呼吸症候群防止装置１を装着者Ｍに装着した状態において、装着者Ｍの頭頂骨から蝶形骨に略対応する位置に当接するものである。
【００４８】
第４のベルト部５は、図１に示すように、左右対称に分離した左側第４のベルト部５ａ、右側第４のベルト部５ｂからなるものであり、左側第４のベルト部５ａ、及び右側第４のベルト部５ｂの一端は第１のベルト部２の端部２ａ、２ｂにそれぞれ接続されている。
【００４９】
また、左側第４のベルト部５ａと右側第４のベルト部５ｂの他端には、それぞれ雄部５１、５１を有しており、これら雄部５１、５１が頭頂部において、第３のベルト部４の雌部４１ａに接続されるようになっている。
【００５０】
このように、左右対称に分離された第４のベルト部５は、頭頂部付近において第３のベルト部４に接続されるように構成されていることから、第４のベルト部５が頭部において強固に固定され、顔面側から外れるという虞がない。
【００５１】
さらに、第１のベルト部２による装着者Ｍの下顎を強固に固定することができる。即ち、第４のベルト部５によって第１のベルト部２が上側（頭頂部側）に引っ張られるため、下顎が前方に突き出した状態を保持することができる。
【００５２】
ここで、必ずしも、第４のベルト部５は、左側第４のベルト部５ａ、及び右側第４のベルト部５ｂから構成されている必要はなく、一本のベルト体から構成されていてもよい。但し、第４のベルト部５が左側第４のベルト部５ａ、及び右側第４のベルト部５ｂから構成されていることにより、第４のベルト部５の装着者Ｍへ装着する際の長さの調整が容易なものとなる。
【００５３】
また、必ずしも、左側第４のベルト部５ａと右側第４のベルト部５ｂの他端には、それぞれ雄部５１、５１を有しており、これら雄部５１、５１が頭頂部において、第３のベルト部４の雌部４１ａに接続されるように構成されている必要はない。例えば、第３のベルト部４と同様に、左側第４のベルト部５ａと右側第４のベルト部５ｂの他端同士が頭頂部において接続されるように構成されてもよい。
【００５４】
第５のベルト部６は、睡眠時無呼吸症候群防止装置１を装着者Ｍに装着した状態において、装着者Ｍの側頭骨から後頭骨に略対応する位置に当接するものでる。
【００５５】
第５のベルト部６は、図１に示すように、左右対称に分離した左側第５のベルト部６ａ、右側第５のベルト部６ｂからなるものであり、左側第５のベルト部６ａ、及び右側第５のベルト部６ｂの一端は、それぞれ左側第３のベルト部４ａ、右側第３のベルト部４ｂの所定の位置にそれぞれ接続されている。
【００５６】
また、左側第５のベルト部６ａの他端には雌部６１ａ、右側第５のベルト部６ｂの他端には雄部６１ｂをそれぞれ有する面ファスナーからなる着脱機構６１を有しており、この着脱機構６１により、第５のベルト部６は一本のベルト体となっている。
【００５７】
以上の構成により、例えば第５のベルト部６が接続されている第３のベルト部４が後頭部側に引っ張り力が与えられるため、睡眠時無呼吸症候群防止装置１が顔面側から抜け落ちることを防止することができる。また、第５のベルト部６が接続された第３のベルト部４を介して第１のベルト部２に頭頂部側へ引っ張る力が作用するため、下顎が前方に突き出した状態を保持することができる。
【００５８】
ここで、必ずしも、第５のベルト部６は着脱機構６１を有している必要はない。但し、着脱機構６１を有することにより、第５のベルト部６が２つの部分に分離可能な構成となり、第５のベルト部６の装着者Ｍへ装着する際の長さの調整が容易なものとなる。
【００５９】
また、必ずしも、着脱機構６１は、第５のベルト部６の略中心に設けられている必要はない。但し、着脱機構６１が第５のベルト部６の略中心に設けられていることにより、第５のベルト部６が、左側第５のベルト部６ａと右側第５のベルト部６ｂが左右対称な形状となるため、装着者Ｍへの装着が容易なものとなる。
【００６０】
また、必ずしも、着脱機構６１は、雌部６１ａと雄部６１ｂを有する面ファスナーから構成されている必要はなく、その構造は特に限定されるものではない。例えば、バックルやフック等、第５のベルト部６を装着者Ｍの頭部に装着する際にその長さ調整が可能な部材であればどのような機構であってもよい。
【００６１】
次に、本考案の実施形態に係る睡眠時無呼吸症候群防止装置１の装着者Ｍへの取付方法について説明する。
【００６２】
まず、装着者は、第１のベルト部２を下顎に当接する。このとき、第１のベルト部２の略中心が、下顎の下縁に位置するように調整することが好ましい。
【００６３】
次に、２つに分離されている左側第３のベルト部４ａと右側第３のベルト部４ｂを、側頭骨に略対応する位置に当接するように頭頂部までもっていき、頭頂部において着脱機構４１により固定する。このとき、第１のベルト部２が頭頂部側に一定のテンションがかかるよう長さ調整をすることが好ましい。
【００６４】
次に、２つに分離されている左側第４のベルト部５ａと右側第４のベルト部５ｂを、蝶形骨に略対応する位置に当接するように頭頂部までもっていき、頭頂部において長さ調整をしたうえで雄部５１、５１を第３のベルト部４に止着する。このとき、第１のベルト部２が頭頂部側に一定のテンションがかかるよう長さ調整をすることが好ましい。
【００６５】
次に、２つに分離されている左側第５のベルト部６ａと右側第５のベルト部６ｂを、後頭部側に回り込ませ、後頭部の正中線付近で着脱機構６１により固定する。このとき、第１のベルト部２、及び第３のベルト部４に一定のテンションがかかるよう長さ調整をすることが好ましい。
【００６６】
最後に、２つに分離されている左側第２のベルト部３ａと右側第２のベルト部３ｂを、上顎骨に略対応する位置に当接させ、顔面の正中線付近で着脱機構３１により固定する。
【００６７】
ここで、必ずしも、睡眠時無呼吸症候群防止装置１の装着者Ｍへの取り付けに際しては、以上の手順に従って取り付ける必要はない。例えば、第３のベルト部４と第４のベルト部５の手順は前後が入れ替わってもよい。
【００６８】
以上、本考案に係る睡眠時無呼吸症候群防止装置は、着脱が容易であって、睡眠時の姿勢の変化によっても装着状態を維持することが可能なものとなっている。
【符号の説明】
【００６９】
１      睡眠時無呼吸症候群防止装置
２      第１のベルト部
２ａ、２ｂ      端部
３      第２のベルト部
３ａ      左側第２のベルト部
３ｂ      右側第２のベルト部
３１      着脱機構
３１ａ      雌部
３１ｂ      雄部
４      第３のベルト部
４ａ      左側第３のベルト部
４ｂ      右側第３のベルト部
４１      着脱機構
４１ａ      雌部
４１ｂ      雄部
５      第４のベルト部
５ａ      左側第４のベルト部
５ｂ      右側第４のベルト部
５１      雄部
６      第５のベルト部
６ａ      左側第５のベルト部
６ｂ      右側第５のベルト部
６１      着脱機構
６１ａ      雌部
６１ｂ      雄部
７      下顎保持ホルダー
Ｍ      装着者
【図１】
0003220133.tif 000003
【図２】
0003220133.tif 000004
【図３】
0003220133.tif 000005
【図４】
0003220133.tif 000006